(57)【要約】【課題】  省電力状態における消費電力を低減すること。【解決手段】  通常状態では前記画像データ受信回路、前記画像記録部材送受信回路および前記オプションスロットに前記電源回路により電源を供給させる電源制御手段（Ｃ２）であって、前記オプション基板が追加画像データ受信回路を有しない場合、電力消費を低減する省電力状態において前記画像記録部材送受信回路および前記オプションスロットへの電源の供給を停止させ且つ前記画像データ受信回路に電源を供給させると共に、前記オプション基板が前記追加画像データ受信回路を有する場合には、前記省電力状態において前記画像データ受信回路、前記画像記録部材送受信回路および前記オプションスロットに電源を供給させる前記電源制御手段（Ｃ２）を備えた画像形成装置（Ｕ）。【選択図】  図４
2006237734.tif 000002
【特許請求の範囲】
【請求項１】
下記の構成要件（Ａ01）〜（Ａ06）を備えたことを特徴とする画像形成装置、
（Ａ01）画像データを受信する画像データ受信回路、
（Ａ02）前記画像データ受信回路と電気的に接続された画像記録部材送受信回路であって、前記画像データ受信回路が受信した画像データに応じて画像の記録を行う画像記録部材との間で信号の送受信を行う前記画像記録部材送受信回路、
（Ａ03）前記画像形成装置の機能を追加するためのオプション基板を着脱可能なオプションスロットであって、前記オプション基板が装着された状態で前記画像データ受信回路および画像記録部材送受信回路と電気的に接続された前記オプションスロット、
（Ａ04）前記画像データ受信回路、前記画像記録部材送受信回路および前記オプションスロットに電源を供給する電源回路、
（Ａ05）前記オプションスロットに装着された前記オプション基板が、画像データを受信する追加画像データ受信回路を有しているか否かを判別するオプション基板判別手段、
（Ａ06）通常状態では前記画像データ受信回路、前記画像記録部材送受信回路および前記オプションスロットに前記電源回路により電源を供給させる電源制御手段であって、前記オプション基板が追加画像データ受信回路を有しない場合、電力消費を低減する省電力状態において前記画像記録部材送受信回路および前記オプションスロットへの電源の供給を停止させ且つ前記画像データ受信回路に電源を供給させると共に、前記オプション基板が前記追加画像データ受信回路を有する場合には、前記省電力状態において前記画像データ受信回路、前記画像記録部材送受信回路および前記オプションスロットに電源を供給させる前記電源制御手段。
【請求項２】
下記の構成要件（Ａ07）を備えたことを特徴とする請求項１記載の画像形成装置、
（Ａ07）前記通常状態よりも電力消費が少なく且つ前記省電力状態よりも電力消費が多いローパワー状態において、前記オプション基板が追加画像データ受信回路を有しない場合には、前記オプションスロットへの電源の供給を停止し且つ前記画像記録部材送受信回路および前記画像データ受信回路へ電源を供給させると共に、前記オプション基板が前記追加画像データ受信回路を有する場合には、前記画像データ受信回路、前記画像記録部材送受信回路および前記オプションスロットに電源を供給させる前記電源制御手段。
【請求項３】
下記の構成要件（Ａ08），（Ａ09）を備えたことを特徴とする請求項２記載の画像形成装置、
（Ａ08）前記オプションスロットに前記追加画像データ受信回路を有する前記オプション基板が装着された場合に、前記追加画像データ受信回路による画像データの受信を行う受信有効設定、および、前記前記追加画像データ受信回路により画像データの受信を行わない受信無効設定のいずれかの受信設定を記憶する受信設定記憶手段、
（Ａ09）前記受信設定が前記受信有効設定に設定されている場合には、前記ローパワー状態において前記画像データ受信回路、前記画像記録部材送受信回路および前記オプションスロットに電源を供給させると共に、前記受信設定が前記受信無効設定に設定されている場合には、前記ローパワー状態において前記オプションスロットへの電源の供給を停止させ且つ前記画像データ受信回路および前記画像記録部材送受信回路に電源を供給させる前記電源制御手段。
【請求項４】
下記の構成要件（Ａ08），（Ａ09′）を備えたことを特徴とする請求項１または２記載の画像形成装置、
（Ａ08）前記オプションスロットに前記追加画像データ受信回路を有する前記オプション基板が装着された場合に、前記追加画像データ受信回路による画像データの受信を行う受信有効設定、および、前記前記追加画像データ受信回路により画像データの受信を行わない受信無効設定のいずれかの受信設定を記憶する受信設定記憶手段、
（Ａ09′）前記受信設定が前記受信有効設定に設定されている場合には、前記省電力状態において前記画像データ受信回路、前記画像記録部材送受信回路および前記オプションスロットに電源を供給させると共に、前記受信設定が前記受信無効設定に設定されている場合には、前記省電力状態において前記画像記録部材送受信回路および前記オプションスロットへの電源の供給を停止させ且つ前記画像データ受信回路に電源を供給させる前記電源制御手段。
【請求項５】
下記の構成要件（Ａ010）を備えたことを特徴とする請求項１ないし４のいずれか記載の画像形成装置、
（Ａ010）前記画像データ受信回路と、前記画像記録部材送受信回路および前記オプションスロットと、の間を電気的に接続・切断可能なバススイッチ。
【請求項６】
下記の構成要件（Ａ011）を備えたことを特徴とする請求項１ないし５のいずれか記載の画像形成装置、
（Ａ011）前記電源制御手段からの信号に応じて、前記電源回路から前記画像記録部材送受信回路および前記オプションスロットへの通電をオン・オフするＦＥＴスイッチ。
【発明の詳細な説明】
【技術分野】
【０００１】
本発明は、プリンタ、ＦＡＸ、複写機、およびこれら複数の機能を有する複合機等の画像形成装置に関し、特に、機能を追加するためのオプション基板を着脱可能なオプションスロットを備えた画像形成装置に関する。
【背景技術】
【０００２】
従来のプリンタ、ＦＡＸ等の画像形成装置において、消費電力を低減するために、画像形成が実行されない状態で所定時間が経過したり、ユーザの入力により、画像形成装置内の各部材への電力供給を停止する省電力状態（省エネルギーモード）に移行する画像形成装置が知られている。しかしながら、ケーブルで接続された機器（パーソナルコンピュータ等）から画像データを受信して印刷する画像形成装置では、いつ画像データを受信するかが不明であるため、画像データを受信する画像データを受信する装置（回路）への電力供給を停止すると、画像データを受信できなくなってしまう。
【０００３】
この問題を解決するために、下記の従来技術（Ｊ01）が公知である。
（Ｊ01）特許文献１（特開２００２−２８１１９０号公報）記載の技術
特許文献１には、ネットワーク接続のためのオプションボードの有無に基づいて、省エネルギーモードで異なる制御を行う技術が記載されている。すなわち、オプションボードが装着された状態では、省エネルギーモードで読取り部（スキャナ部）と記録部（プリンタ部）の電源を遮断し且つ画像処理部（ＩＰＳ）へは電源を供給し、オプションボードが未装着の状態では、読取り部と記録部と画像処理部の電源を遮断する技術が記載されている。
【０００４】
また、従来の画像形成装置のコントローラとして、以下の従来技術（Ｊ02）が公知である。
（Ｊ02）図１４に示す従来技術
図１４は、従来の画像形成装置のコントローラの構成の説明図である。
図１４において、プリンタ、スキャナ、複写機としての機能を有する複合機０１のシステムコントローラ０２は、複合機０１を制御するためのプログラムを記憶するＲＯＭ０３と、複合機の各種データを一時的に記憶するＲＡＭ０４とを有する。前記ＲＯＭ０３およびＲＡＭ０４はメモリバス０５によりＣＰＵ（中央演算装置）０６に接続され、ＣＰＵ０６は、ＲＯＭ０３やＲＡＭ０４等に記憶されたプログラムやデータに応じた処理を実行する。前記ＣＰＵ０６は、動作周波数が高速（６６ＭＨｚ）の高速ＰＣＩバス（Peripheral  Component  Interconnect  Bus）０７に接続されており、高速ＰＣＩバス０７を介して信号やデータの送受信を行う。
【０００５】
前記高速ＰＣＩバス０７には、ホストコンピュータ０８との間でデータや信号の送受信を行ったり電源制御回路０９へ制御信号の送信を行うHostIF回路（ホストインターフェース回路）０１１が接続されている。また、前記高速ＰＣＩバス０７には、原稿画像を読取るスキャナ（前記特許文献１の読取り部）０１２や印刷を行う印刷エンジン（プリンタ部、前記特許文献１の記録部）０１３との間で送受信を行うVideoIF回路（ビデオインターフェース回路）０１４が接続されている。さらに、前記高速ＰＣＩバス０７には、動作周波数が異なるＰＣＩバスどうしを接続するためのＰＣＩＢｒｉｄｇｅ回路（ＰＣＩブリッジ回路）０１６が接続されている。前記高速ＰＣＩバス０７が接続するＰＣＩＢｉｄｇｅ回路０１６には動作周波数が低速（３３ＭＨｚ）の低速ＰＣＩバス０１７が接続されている。前記低速ＰＣＩバス０１７には、ユーザが入力操作等を行うコントロールパネル（ユーザインタフェース：ＵＩ）０１８との間でデータ等の送受信を行うＵＩ回路０１９が接続されている。また、前記低速ＰＣＩバス０１７には、オプションスロット０２１が接続されており、オプションスロット０２１には、画像形成装置０１の機能を追加するためのオプション基板０２２を装着できる。
【０００６】
前記オプション基板０２２としては、ホストコンピュータ０８等との接続方式（例えば、ＬＡＮ接続やパラレル接続等）とは異なる接続方式（例えば、ＵＳＢ(Universal  Serial  Bus)接続等）で接続し、データや信号等の送受信を可能にするインターフェース用の基板や、スキャナで読み取った画像データの圧縮、伸張を可能にする画像処理(例えば、JPEG方式)用の基板がある。
【０００７】
前記システムコントローラ０２を備えた従来の画像形成装置０１では、前記特許文献１記載の従来技術（Ｊ01）と同様に、省電力状態（省エネモード）では、電源回路０９を制御して、スキャナ０１２や印刷エンジン０１３、コントロールパネル０１８等への電源供給が停止され、消費電力を低減している。また、ＣＰＵ０６やVideoIF回路０１４については内部のクロックを停止する等のそれぞれの節電モードに移行させることで、システムコントローラ０２の消費電力を低減させている。一方、省電力状態であっても、ホストコンピュータ０８から送信された信号やデータ等を受信する可能性のあるHostIF回路０１１や、オプション基板０２２としてデータ等の送受信が行われる可能性のあるインターフェース基板が装着されている場合にはオプション基板０２２には電源供給が行われる。
【０００８】
【特許文献１】特開２００２−２８１１９０号公報（段落番号「００２４」〜「００２６」、第１図、第２図）
【発明の開示】
【発明が解決しようとする課題】
【０００９】
前記従来技術（Ｊ01）では、オプションボード（オプション基板）の有無により省エネモードでの電源供給を切り替えているが、オプションボードとして画像処理用の基板が装着されている場合、ユーザーが省エネ復帰ボタンを押してから電源を供給すればよく、省エネモードで電源供給を行う必要はない。したがって、従来技術（Ｊ01）では、電源供給を行う必要がない場合にも省エネモードで電源供給が行われる場合があり、消費電力の低減が適切に行われない問題がある。
また、オプションボードとしてインターフェース用のボードが装着されていても、機能が有効でない場合（例えば、ユーザがインタフェースボードの機能を無効に設定したり、ケーブルが装着されていなかったり、接続された機器の電源がオンされていない場合等）には、オプションボードを通じてデータを受信する可能性がないので、オプションボードへの電源を供給する必要が無く、従来技術（Ｊ01）では、消費電力を十分に抑えることができない。
したがって、前記従来技術（Ｊ01）では、装着されたオプションボードの種類や、装着されたオプションボードの機能の有効・無効の状態に応じて、十分な省電力制御を行うことができない。
【００１０】
また、前記従来技術（Ｊ01），（Ｊ02）のように、省エネモードでも、ホストコンピュータ等との送受信を行うための回路（HostIF回路や通信機能を追加するオプション基板）には電源供給が行われる。したがって、前記従来技術（Ｊ01）、（Ｊ02）では、省エネモードでもデータ送受信用のバス（高速ＰＣＩバス０７や低速ＰＣＩバス０１７）への電源供給は続ける必要がある。前記省エネモードでは、スキャナ（読取り部）や印刷エンジン（記録部）、コントロールパネルへの電源供給は停止されるため、VideoIF回路やUI回路等に電源を供給する必要が無い。しかし、電源供給が行われる回路（HostIF回路等）と同じバスに接続された回路（VideoIF回路）の電源供給を停止すると、当バスが正常に動作しないだけでなく、最悪の場合、電源をOFFした回路が破損する恐れがある。したがって、前記従来技術（Ｊ01）、（Ｊ02）では、使用されない回路（VideoIF回路）への電源供給も継続する必要があり、消費電力を十分に抑えることができないという問題もある。
【００１１】
本発明は、前述の事情に鑑み、次の記載内容（Ｏ01）を技術的課題とする。
（Ｏ01）省電力状態における消費電力の低減を適切に行うこと。
【課題を解決するための手段】
【００１２】
（第１発明）
前記技術的課題を解決するために、第１発明の画像形成装置は、下記の構成要件（Ａ01）〜（Ａ06）を備えたことを特徴とする。
（Ａ01）画像データを受信する画像データ受信回路、
（Ａ02）前記画像データ受信回路と電気的に接続された画像記録部材送受信回路であって、前記画像データ受信回路が受信した画像データに応じて画像の記録を行う画像記録部材との間で信号の送受信を行う前記画像記録部材送受信回路、
（Ａ03）前記画像形成装置の機能を追加するためのオプション基板を着脱可能なオプションスロットであって、前記オプション基板が装着された状態で前記画像データ受信回路および画像記録部材送受信回路と電気的に接続された前記オプションスロット、
（Ａ04）前記画像データ受信回路、前記画像記録部材送受信回路および前記オプションスロットに電源を供給する電源回路、
（Ａ05）前記オプションスロットに装着された前記オプション基板が、画像データを受信する追加画像データ受信回路を有しているか否かを判別するオプション基板判別手段、
（Ａ06）通常状態では前記画像データ受信回路、前記画像記録部材送受信回路および前記オプションスロットに前記電源回路により電源を供給させる電源制御手段であって、前記オプション基板が追加画像データ受信回路を有しない場合、電力消費を低減する省電力状態において前記画像記録部材送受信回路および前記オプションスロットへの電源の供給を停止させ且つ前記画像データ受信回路に電源を供給させると共に、前記オプション基板が前記追加画像データ受信回路を有する場合には、前記省電力状態において前記画像データ受信回路、前記画像記録部材送受信回路および前記オプションスロットに電源を供給させる前記電源制御手段。
【００１３】
（第１発明の作用）
前記構成要件（Ａ01）〜（Ａ06）を備えた第１発明の画像形成装置では、画像データ受信回路は、画像データを受信する。前記画像データ受信回路と電気的に接続された画像記録部材送受信回路は、前記画像データ受信回路が受信した画像データに応じて画像の記録を行う画像記録部材との間で信号の送受信を行う。前記画像形成装置の機能を追加するためのオプション基板を着脱可能なオプションスロットは、前記オプション基板が装着された状態で前記画像データ受信回路および画像記録部材送受信回路と電気的に接続されている。電源回路は、前記画像データ受信回路、前記画像記録部材送受信回路および前記オプションスロットに電源を供給する。オプション基板判別手段は、前記オプションスロットに装着された前記オプション基板が、画像データを受信する追加画像データ受信回路を有しているか否かを判別する。
【００１４】
前記電源制御手段は、通常状態では前記画像データ受信回路、前記画像記録部材送受信回路および前記オプションスロットに前記電源回路により電源を供給させる。
また、電源制御手段は、前記オプション基板が追加画像データ受信回路を有しない場合、電力消費を低減する省電力状態において前記画像記録部材送受信回路および前記オプションスロットへの電源の供給を停止させ且つ前記画像データ受信回路に電源を供給させる。
さらに、電源制御手段は、前記オプション基板が前記追加画像データ受信回路を有する場合には、前記省電力状態において前記画像データ受信回路、前記画像記録部材送受信回路および前記オプションスロットに電源を供給させる。
したがって、第１発明の画像形成装置では、装着されたオプション基板の種類に応じて、適切な省電力制御を行うことができ、省電力状態における消費電力を低減することができる。
【００１５】
（第１発明の形態１）
第１発明の形態１の画像形成装置は、前記第１発明において、下記の構成要件（Ａ07）を備えたことを特徴とする。
（Ａ07）前記通常状態よりも電力消費が少なく且つ前記省電力状態よりも電力消費が多いローパワー状態において、前記オプション基板が追加画像データ受信回路を有しない場合には、前記オプションスロットへの電源の供給を停止し且つ前記画像記録部材送受信回路および前記画像データ受信回路へ電源を供給させると共に、前記オプション基板が前記追加画像データ受信回路を有する場合には、前記画像データ受信回路、前記画像記録部材送受信回路および前記オプションスロットに電源を供給させる前記電源制御手段。
【００１６】
（第１発明の形態１の作用）
前記構成要件（Ａ07）を備えた第１発明の形態１の画像形成装置では、前記電源制御手段は、前記通常状態よりも電力消費が少なく且つ前記省電力状態よりも電力消費が多いローパワー状態において、前記オプション基板が追加画像データ受信回路を有しない場合には、前記オプションスロットへの電源の供給を停止し且つ前記画像記録部材送受信回路および前記画像データ受信回路へ電源を供給させる。また、前記電源制御手段は、オプション基板が前記追加画像データ受信回路を有する場合には、前記画像データ受信回路、前記画像記録部材送受信回路および前記オプションスロットに電源を供給させる。したがって、省電力状態に加え、画像記録動作を速やかに開始でき且つ消費電力を抑えることができるローパワー状態においても、装着されたオプション基板に応じて、適切に消費電力を低減することができる。
【００１７】
（第１発明の形態２）
第１発明の形態２の画像形成装置は、前記第１発明の形態１において、下記の構成要件（Ａ08），（Ａ09）を備えたことを特徴とする。
（Ａ08）前記オプションスロットに前記追加画像データ受信回路を有する前記オプション基板が装着された場合に、前記追加画像データ受信回路による画像データの受信を行う受信有効設定、および、前記前記追加画像データ受信回路により画像データの受信を行わない受信無効設定のいずれかの受信設定を記憶する受信設定記憶手段、
（Ａ09）前記受信設定が前記受信有効設定に設定されている場合には、前記ローパワー状態において前記画像データ受信回路、前記画像記録部材送受信回路および前記オプションスロットに電源を供給させると共に、前記受信設定が前記受信無効設定に設定されている場合には、前記ローパワー状態において前記オプションスロットへの電源の供給を停止させ且つ前記画像データ受信回路および前記画像記録部材送受信回路に電源を供給させる前記電源制御手段。
【００１８】
（第１発明の形態２の作用）
前記構成要件（Ａ08），（Ａ09）を備えた第１発明の形態２の画像形成装置では、受信設定記憶手段は、前記オプションスロットに前記追加画像データ受信回路を有する前記オプション基板が装着された場合に、前記追加画像データ受信回路による画像データの受信を行う受信有効設定、および、前記前記追加画像データ受信回路により画像データの受信を行わない受信無効設定のいずれかの受信設定を記憶する。電源制御手段は、前記受信設定が前記受信有効設定に設定されている場合には、前記ローパワー状態において前記画像データ受信回路、前記画像記録部材送受信回路および前記オプションスロットに電源を供給させる。一方、前記電源制御手段は、前記受信設定が前記受信無効設定に設定されている場合には、前記ローパワー状態において前記オプションスロットへの電源の供給を停止させ且つ前記画像データ受信回路および前記画像記録部材送受信回路に電源を供給させる。したがって、第１発明の形態２の画像形成装置では、オプション基板の受信設定に応じて、ローパワー状態において、適切な消費電力制御を行うことができる。
【００１９】
（第１発明の形態３）
第１発明の形態３の画像形成装置は、前記第１発明または第１発明の形態１において、下記の構成要件（Ａ08），（Ａ09′）を備えたことを特徴とする。
（Ａ08）前記オプションスロットに前記追加画像データ受信回路を有する前記オプション基板が装着された場合に、前記追加画像データ受信回路による画像データの受信を行う受信有効設定、および、前記前記追加画像データ受信回路により画像データの受信を行わない受信無効設定のいずれかの受信設定を記憶する受信設定記憶手段、
（Ａ09′）前記受信設定が前記受信有効設定に設定されている場合には、前記省電力状態において前記画像データ受信回路、前記画像記録部材送受信回路および前記オプションスロットに電源を供給させると共に、前記受信設定が前記受信無効設定に設定されている場合には、前記省電力状態において前記画像記録部材送受信回路および前記オプションスロットへの電源の供給を停止させ且つ前記画像データ受信回路に電源を供給させる前記電源制御手段。
【００２０】
（第１発明の形態３の作用）
前記構成要件（Ａ08），（Ａ09′）を備えた第１発明の形態３の画像形成装置では、受信設定記憶手段は、前記オプションスロットに前記追加画像データ受信回路を有する前記オプション基板が装着された場合に、前記追加画像データ受信回路による画像データの受信を行う受信有効設定、および、前記前記追加画像データ受信回路により画像データの受信を行わない受信無効設定のいずれかの受信設定を記憶する。前記電源制御手段は、前記受信設定が前記受信有効設定に設定されている場合には、前記省電力状態において前記画像データ受信回路、前記画像記録部材送受信回路および前記オプションスロットに電源を供給させる。また、前記電源制御手段は、前記受信設定が前記受信無効設定に設定されている場合には、前記省電力状態において前記画像記録部材送受信回路および前記オプションスロットへの電源の供給を停止させ且つ前記画像データ受信回路に電源を供給させる。したがって、第１発明の形態２の画像形成装置では、オプション基板の受信設定に応じて、省電力状態において、適切な消費電力制御を行うことができる。
【００２１】
（第１発明の形態４の作用）
第１発明の形態４の画像形成装置は、前記第１発明および第１発明の形態１〜３のいずれかにおいて、下記の構成要件（Ａ010）を備えたことを特徴とする。
（Ａ010）前記画像データ受信回路と、前記画像記録部材送受信回路および前記オプションスロットと、の間を電気的に接続・切断可能なバススイッチ。
【００２２】
（第１発明の形態４の作用）
前記構成要件（Ａ010）を備えた第１発明の形態４の画像形成装置では、バススイッチにより、前記画像データ受信回路と、前記画像記録部材送受信回路および前記オプションスロットと、の間を電気的に接続・切断できる。したがって、画像データ受信回路と、画像記録部材送受信回路およびオプションスロットとが同一のバスに接続されていても、各回路を安全且つ個別に通電のオン、オフをすることができる。
【００２３】
（第１発明の形態５）
第１発明の形態５の画像形成装置は、前記第１発明および第１発明の形態１〜４のいずれかにおいて、下記の構成要件（Ａ011）を備えたことを特徴とする。
（Ａ011）前記電源制御手段からの信号に応じて、前記電源回路から前記画像記録部材送受信回路および前記オプションスロットへの通電をオン・オフするＦＥＴスイッチ。
【００２４】
（第１発明の形態５の作用）
前記構成要件（Ａ011）を備えた第１発明の形態５の画像形成装置では、ＦＥＴスイッチにより、前記電源制御手段からの信号に応じて、前記電源回路から前記画像記録部材送受信回路および前記オプションスロットへの通電をオン・オフできる。
【発明の効果】
【００２５】
前述の本発明は、下記の効果（Ｅ01）を奏する。
（Ｅ01）省電力状態における消費電力を低減することができる。
【発明を実施するための最良の形態】
【００２６】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【実施例１】
【００２７】
図１は本発明のプリントシステムの説明図である。
図１において、実施例１のプリントシステムＳでは、画像形成装置Ｕは、パーソナルコンピュータ（パソコン、ホストコンピュータ、情報端末）ＰＣ１〜ＰＣ３やデータベースサーバ（情報端末）ＤＢＳにローカルネットワークＬ（ローカルエリアネットワーク）で接続されている。また、画像形成装置Ｕは、後述するオプションスロットにインターフェース基板を装着することにより、接続ケーブルＣｂを介して（無線接続の場合は無線により）パーソナルコンピュータＰＣ４に接続可能に構成されている。
【００２８】
前記画像形成装置Ｕは、スキャナ機能、複写機能およびプリンタ機能等を備えており、パソコンＰＣ１〜ＰＣ３等から送信された画像データを受信して印刷したり、パソコンＰＣ１〜ＰＣ３等からの制御信号に応じて読取った画像データをパソコンＰＣ１〜ＰＣ３等に送信する。
前記パソコンＰＣ１〜ＰＣ４、データベースサーバＤＢＳは、それぞれ、コンピュータ本体Ｈ１ａ〜Ｈ５ａ、ディスプレイＨ１ｂ〜Ｈ５ｂ、キーボードＨ１ｃ〜Ｈ５ｃ、マウスＨ１ｄ〜Ｈ５ｄを有している。
【００２９】
図２は本発明の画像形成装置（デジタル複写機）の縦断面図である。
図１、図２において、実施例１の画像形成装置（デジタル複写機）Ｕは、ＩＯＴ（イメージアウトプットターミナル、すなわち画像記録部）としての画像形成装置本体（プリンタ部）Ｕ１、ＩＩＴ（イメージインプットターミナル、すなわち画像読取り部）としてのスキャナ装置Ｕ２及び自動原稿搬送装置（ＡＤＦ：オートドキュメントフィーダ）Ｕ３を有している。
前記自動原稿搬送装置Ｕ３は、ＩＩＴ上面のプラテンガラスＰＧ上に支持されている。
前記ＩＯＴ上面には上方のＩＩＴとの間にシート排出トレイＴＲｈが設けられている。
【００３０】
図１、図２において、前記自動原稿搬送装置Ｕ３は、複写しようとする複数の原稿Ｇｉが重ねて載置される原稿給紙トレイＴＧ1を有している。前記原稿給紙トレイＴＧ1に載置された複数の各原稿Ｇｉは、原稿搬送ローラＲｇによって順次プラテンガラスＰＧ上の複写位置を通過して原稿排紙トレイＴＧ2に排出されるように構成されている。前記自動原稿搬送装置Ｕ３は、その後端部（−Ｘ端部）に設けた左右方向（Ｙ軸方向）に延びるヒンジ軸（図示せず）により前記プラテンガラスＰＧ上面に対して回動可能であり、原稿Ｇｉを作業者が手でプラテンガラスＰＧ上に置く場合に上方に回動される。
前記画像形成装置本体Ｕ１は、ユーザがコピースタート等の作動指令信号を入力操作するコントロールパネルＵＩ（ユーザインタフェース）を有している。
【００３１】
前記透明なプラテンガラスＰＧの下方には原稿画像を読み取るための露光光学系Ａが配置されている。
前記自動原稿搬送装置Ｕ３でプラテンガラスＰＧ上面に搬送される原稿または手動でプラテンガラスＰＧ上に置かれた原稿（図示せず）からの反射光は、前記露光光学系Ａを介して、ＣＣＤ（固体撮像素子）で電気信号に変換される。
ＩＰＳ（イメージプロセッシングシステム、画像処理部）は、ＣＣＤから入力されるＲＧＢの電気信号を画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。なお、前記ＵＩ（ユーザインタフェース）、ＩＰＳおよびレーザ駆動信号出力装置ＤＬと、後述の現像ロールＧａ、転写ロールＴにバイアス電圧を印加する電源回路Ｅ等の動作はシステムコントローラ２（図２では「Ｃ」と表記）により制御される。
【００３２】
図２において、感光体ドラムにより構成されるトナー像担持体ＰＲはその軸ＰＲａと一体的に矢印方向に回転しており、その表面は、帯電ロールＣＲにより一様に帯電された後、潜像書込位置おいて前記ＲＯＳ（潜像形成装置）のレーザビームＬにより露光走査されて静電潜像が形成される。
前記静電潜像が形成されたトナー像担持体ＰＲ表面は回転移動して、現像ロールＧａと対向する現像領域、転写ロールＴと対向する転写領域Ｑ３を順次通過する。
現像器Ｇは、現像ロールＧａ、現像剤攪拌部材Ｇｂ，Ｇｃ，Ｇｄを回転可能に支持し且つ現像剤を収容する現像容器Ｖを有しており、前記現像領域を通過するトナー像担持体ＰＲ上の静電潜像をトナー像に現像する。
前記トナー像担持体ＰＲ、帯電ロールＣＲ、潜像形成装置ＲＯＳ及び現像器Ｇによって、トナー像形成装置（ＰＲ＋ＣＲ＋ＲＯＳ＋Ｇ）が構成されている。
【００３３】
前記転写領域Ｑ３に搬送するための記録用シートを収容する複数の給紙トレイＴＲ1〜ＴＲ4は、その左右両側に前後方向（図２で紙面に垂直な方向）に沿って配置された一対のレールＲＬ１，ＲＬ１に沿って移動可能に支持されている。
前記各給紙トレイＴＲ1〜ＴＲ4から、ピックアップロールＲｐにより取出された記録シートＳは、リタードロールおよび給紙ロールを有するさばきロールＲｓにより１枚づつ分離されて、シート搬送路ＳＨに沿って配置された複数のシート搬送ロールＲａにより搬送され、レジロールＲｒにより所定のタイミングで、前記転写領域Ｑ３に搬送される。
また、手差トレイＴＲ0（図１は図示省略）から給紙された記録シートＳも前記シート搬送路ＳＨに沿って配置されたシート搬送ロールＲａ、レジロールＲｒにより前記転写領域Ｑ３に搬送される。
前記搬送ロールＲａ、ピックアップロールＲｐ、レジロールＲｒ及びさばきロールＲｓ等によってシート搬送装置（Ｒａ〜Ｒｓ）が構成されている。
【００３４】
前記転写領域Ｑ３には転写バイアスが印加される転写ロール（転写装置）Ｔが配置されている。この転写ロールＴは転写領域Ｑ３において前記トナー像担持体ＰＲに圧接しており、転写領域Ｑ３を通過する記録シートＳにトナー像担持体ＰＲ上のトナー像を転写する。
トナー像担持体ＰＲ表面のトナー像が転写領域Ｑ３において記録シートＳに転写された後、前記トナー像担持体ＰＲは、クリーナＣＬにより表面に付着した残留トナーが回収される。前記クリーナＣＬにより表面に付着した残留トナーが回収されたトナー像担持体ＰＲは、前記帯電ロールＣＲにより帯電される。
【００３５】
前記転写領域Ｑ３において未定着のトナー像が転写された記録シートＳは、トナー像が未定着の状態で定着領域Ｑ４に搬送され、定着領域Ｑ４に配置された定着装置Ｆによってトナー像が定着される。前記定着装置Ｆは、互いに圧接しながら回転する加熱ロール（加熱回転部材）Ｆｈと、加圧ロール（加圧回転部材）Ｆｐとを有し、前記加熱ロールＦｈと加圧ロールＦｐとの圧接領域により前記定着領域Ｑ４が形成される。前記加熱ロールＦｈの内部には回転軸方向（図１の紙面に垂直なＸ軸方向）に延びるヒータＨが配置されている。前記加熱ロールＦｈおよび加圧ロールＦｐ等によって定着用回転部材（Ｆｈ＋Ｆｐ）が構成されている。そして、前記定着用回転部材（Ｆｈ＋Ｆｐ）およびヒータＨ等によって定着装置Ｆが構成されている。
【００３６】
定着トナー像が形成された記録シートＳは、その後、シートガイドにガイドされて排紙ロール（標準排出ロール）Ｒ１に搬送され、前記排紙ロールＲ１によりシート排出トレイＴＲｈに排出される。前記排紙ロール（標準排出ロール）Ｒ１は上側の排紙駆動ロールＲ１ａおよび下側の排紙従動ロールＲ１ｂを有している。
図２において、前記排紙ロールＲ１の左方には、オプション装置（シート反転装置）Ｕ４の装着時に、画像形成装置本体Ｕ１内に装着されるシート反転排出用ガイドＳＧおよびオプション排出ロールＲ２が２点鎖線（仮想線）で示されている。オプション排出ロールＲ２は下側のオプション排出駆動ロールＲ２ａおよび上側のオプション排出従動ロールＲ２ｂを有している。
【００３７】
記録シートの両面に画像記録を行う場合、片面記録済の記録シートは前記オプション排出ロールＲ２からシート反転装置Ｕ３を通って、表裏反転した状態で前記転写領域Ｑ３に再送される。
前記シート反転排出用ガイドＳＧおよびオプション排出ロールＲ２は、オプション装置であるシート反転装置Ｕ４を画像形成装置本体Ｕ１に装着した場合にのみ使用される部材（オプション排出部材）であり、シート反転装置Ｕ４の装着時に、オプション排出ロールＲ２を駆動するためのオプション駆動力伝達部材（図示せず）とともに画像形成装置本体Ｕ１内に装着される。なお、オプションの前記シート反転装置Ｕ４に替えて、画像記録された記録シートＳをページ順に揃えて２つ折りにしたり（丁合したり）、ステープル（パンチ孔作成やホチキス止め）したりするフィニッシャ（後処理装置）を装着することも可能である。
前記トナー像形成装置（ＰＲ＋ＣＲ＋ＲＯＳ＋Ｇ）や、転写ロールＴ、シート搬送装置（Ｒａ〜Ｒｓ）、定着装置Ｆ等により、画像を記録シートＳに記録する印刷エンジン（画像記録装置）１３が構成されている。
【００３８】
（コントローラ（制御部）の説明）
図３は実施例１の画像形成装置のコントローラの説明図である。
次に、図３を使用して実施例１の画像形成装置のコントローラの構成を説明するが、前記図１４に示す従来技術のシステムコントローラと同様の構成には符号の最初の「０」を除いた符号を付し、詳細な説明は省略する。
図３において、実施例１の画像形成装置Ｕのシステムコントローラ２では、高速ＰＣＩバス７にはバススイッチ回路２６が配置されており、必要に応じて、ＣＰＵ６およびHostIF回路（画像データ受信回路）１１側と、VideoIF回路（画像記録部材送受信回路）１４およびPCIBridge回路１６側との間を電気的に切り離し（アイソレーション）することができるように構成されている。したがって、実施例１のシステムコントローラ２では、バススイッチ回路２６により、電源回路９から電源（Vcc1）が供給されるＣＰＵ６側の領域１と、電源回路９からＦＥＴスイッチ２７を介して電源（Vcc2）が供給されるVideoIF回路１４側の領域２とに分類することができる。
【００３９】
図３において、HostIF回路１１には、ローカルバス３１を介して、省電力状態における電源のオンオフ制御を行うためのレジスタ３２が接続されている。
前記レジスタ３２は、ＰチャネルのＦＥＴにより構成された前記ＦＥＴスイッチ２７のゲート（Ｇ）に接続されており、レジスタ３２の出力がＬＯＷの場合（初期値はＬＯＷ）にはＦＥＴスイッチ２７がオンになり前記領域２に電源が供給される。前記レジスタ３２の出力が、ＨＩＧＨの場合にはＦＥＴスイッチ２７がオフになり前記領域２への電源供給が停止される。前記レジスタ３２は、ＣＰＵ６からの信号に応じてＬＯＷまたはＨＩＧＨの出力を行うと共に、画像形成装置Ｕの電源オン時にリセット回路（図示せず）からリセット信号（パワーオンリセット信号）が入力された場合にはＬＯＷの出力を行うように構成されている。
【００４０】
なお、前記バススイッチ回路２６は、従来公知（例えば、非特許文献１（「汎用ロジックICバススイッチ」、２００４年９月、東芝セミコンダクター社、「平成１７年２月１８日検索」、インターネット＜URL:http://www.semicon.toshiba.co.jp/prd/logic/doc/pdf/bcj0014b.pdf＞）等参照）のバススイッチにより構成可能であり、種々の構成を採用可能であるので、詳細な説明は省略する。
また、実施例１のVideoIF回路１４等の各回路は、省エネモード時には一部の内部回路へのクロック供給停止して消費電力を低減できるように構成されている。
さらに、実施例１のＣＰＵ６は、タイマ機能や、一時的にデータを記憶するキャッシュ機能、キャッシュとＲＡＭ４のデータの整合がとれているかの監視を行う監視機能(バススヌープ)等の多数の機能を備えている。省エネモード時には、CPU自身が備える所定のパワーセーブモード（低電力モード）に移行させることができる。
【００４１】
（コントローラ（制御部）の機能の説明）
図４は実施例１の画像形成装置の制御部分が有する各機能の機能ブロック図である。
図４において、前記ＣＰＵ６やＲＯＭ３、ＲＡＭ４、図示しないクロック発振器等により構成されたシステムコントローラ２は、前記ＲＯＭ等に記憶されたプログラムを実行することにより種々の機能を実現することができる。
前記システムコントローラ２の機能（制御手段）を次に説明する。
【００４２】
Ｃ１：ホストインターフェース制御手段
ホストインターフェース制御手段Ｃ１は、ネットワークＬを介して接続された前記パソコンＰＣ１〜ＰＣ３、ＤＢＳとの間で、画像データや制御信号等のデータの送受信を行うデータ送受信手段Ｃ１Ａを有し、HostIF回路１１を制御してパソコンＰＣ１〜ＰＣ３、ＤＢＳ等とデータの送受信を行う。
Ｃ２：電源制御手段
電源制御手段Ｃ２は、省エネモード制御手段Ｃ２Ａと、電源オン時判別フラグＦＬ１とを有し、電源回路Ｅを制御して、印刷エンジンやスキャナ装置Ｕ２、自動原稿搬送装置Ｕ３等の各部材および各回路１１、１４、１９等への電源供給を制御する。
【００４３】
Ｃ２Ａ：省エネモード制御手段
省エネモード制御手段Ｃ２Ａは、省エネモード移行時間記憶手段Ｃ２Ａ１と、省エネモード移行時間計時タイマＴＭ１と、省エネモード判別手段Ｃ２Ａ２とを有し、省エネモードへの移行のタイミングやオプションスロット２１に装着されたオプション基板２２の種類や設定等に応じて移行する省エネモードの選択等を行う。
Ｃ２Ａ１：省エネモード移行時間記憶手段
省エネモード移行時間記憶手段Ｃ２Ａ１は、画像形成装置の動作（プリント動作やスキャン動作、コピー動作等のジョブ）の終了やユーザの入力がされた後、消費電力を低減する省エネモード（省電力状態）に移行するまでの時間である省エネモード移行時間ｔ１を記憶する。実施例１の省エネモード移行時間記憶手段Ｃ２Ａ１は、コントロールパネルＵＩからの入力により、ユーザが設定した省エネモード移行時間ｔ１を記憶する。なお、省エネモード移行時間ｔ１をユーザ設定不可能とすることも可能である。
【００４４】
ＴＭ１：省エネモード移行時間計時タイマ
省エネモード移行時間計時タイマＴＭ１は、前記省エネモード移行時間ｔ１を計時する。実施例１の省エネモード移行時間計時タイマＴＭ１は、ジョブ終了時等に省エネモード移行時間ｔ１がセットされ、省エネモード移行時間ｔ１が経過するとタイムアップする。
Ｃ２Ａ２：省エネモード判別手段
省エネモード判別手段Ｃ２Ａ２は、画像形成装置Ｕの状態に応じて、移行する省エネモードの判別を行う。実施例１の省エネモード判別手段Ｃ２Ａ２は、オプションスロット２１へのオプション基板２２の装着の有無、装着されたオプション基板２２の種類（インターフェース基板であるか、画像処理基板であるか）、オプション基板２２が有効であるかに応じて、ほとんどの部材、回路等への電源供給を停止する高省エネモードに移行するか、一部の部材、回路への電源供給を継続する低省エネモードに移行するかを判断する。
【００４５】
ＦＬ１：電源オン時判別フラグ
電源オン時判別フラグＦＬ１は、初期値は「０」であり、画像形成装置Ｕの電源がオンになった直後は「０」であり、所定の処理（オプションスロット２１にオプション基板が装着されているか否かの判別処理等）が行われると「１」となる。
Ｃ３：ＦＥＴスイッチ制御手段
ＦＥＴスイッチ制御手段Ｃ３は、前記レジスタ３２の出力（ＬＯＷまたはＨＩＧＨ）を制御することにより、ＦＥＴスイッチのオン・オフを制御する。
【００４６】
Ｃ４：ビデオインターフェース制御手段
ビデオインターフェース制御手段Ｃ４は、スキャナ装置Ｕ２から読み取った画像データを受信するスキャナデータ送受信手段Ｃ４Ａと、印刷エンジンに印字すべき画像データを送信する印刷エンジンデータ送受信手段Ｃ４Ｂと、を有し、VideoIF回路１４を介して、画像の印刷（記録）や原稿画像の読取り（スキャン）等の加工(回転処理やイメージのカットやシフト等)やデータの送受信行う。
Ｃ５：ＵＩ制御手段
ＵＩ制御手段Ｃ５は、ＵＩ回路１９を介してコントロールパネルＵＩとの間のデータの送受信等の制御を行う。
Ｃ６：オプション基板制御手段
オプション基板制御手段Ｃ６は、オプション基板判別手段Ｃ６Ａと、オプション基板状態記憶手段Ｃ６Ｂとを有し、装着されたオプション基板２２を使用した画像処理（画像データの圧縮・伸張等）やケーブルＣｂにより接続された情報端末ＰＣ４とのデータの送受信等の制御を行う。
【００４７】
Ｃ６Ａ：オプション基板判別手段
オプション基板判別手段Ｃ６Ａは、オプションスロット２１にオプション基板２２が装着されたかどうかの検出を行い、オプション基板２２が装着されている場合には、装着されたオプション基板２２の種類の判別を行う。なお、実施例１の画像形成装置Ｕでは、前記オプション基板２２の種類として、ＵＳＢインターフェース回路（追加画像データ受信回路）や無線ＬＡＮ回路（追加画像データ受信回路）を備えたインターフェース基板や、標準では対応していない画像圧縮形式で画像データの圧縮、伸張を行うための画像処理基板がある。
【００４８】
Ｃ６Ｂ：オプション基板状態記憶手段（受信設定記憶手段）
オプション基板状態記憶手段Ｃ６Ｂは、オプションスロット２１に装着されたオプション基板２２の状態を記憶する。実施例１のオプション基板状態記憶手段Ｃ６Ｂは、（１）オプションスロット２１にオプション基板２２が装着されているか否か、（２）装着されているオプション基板２２の種類はインターフェース基板か画像処理基板か、（３）オプション基板２２がインターフェース基板の場合にインターフェースポートが使用可能な状態（インターフェースポートを通じてデータの受信が可能な受信有効設定）に設定されているか、使用不可能な状態（受信無効設定）に設定されているか、を記憶する。なお、実施例１の画像形成装置Ｕでは、前記インターフェース基板がオプションスロット２１に装着されていても、ユーザがインターフェース基板を使用しなくなった等場合には、ユーザやサービスエンジニアがコントロールパネルＵＩからの入力によりポートを無効（受信無効設定）に設定できるように構成されている。
【００４９】
なお、実施例１の画像形成装置Ｕでは、オプション基板２２の装着有無やその種別は、PCIコンフィグレーションレジスタをリードすることで検出している。例えば、オプションスロット２１のPCIコンフィグレーションレジスタ内のデバイスIDをリードし（読取り）、応答がなければオプション基板の装着はないものと検出できる。リードできた場合、そのデバイスIDから、どのようなオプション基板が装着されたかを検出できる(ただし、あらかじめ、デバイスIDとオプション基板の対応関係情報を記憶している)。
【００５０】
（フローチャートの説明）
次に、実施例１の画像形成装置のフローチャートの説明を行う。
図５は実施例１の画像形成装置の省エネ制御処理のフローチャートである。
図５のフローチャートの各ＳＴ（ステップ）の処理は、画像形成装置Ｕのシステムコントローラ２のＲＯＭ等に記憶されたプログラム等に従って行われる。また、この処理は画像形成装置Ｕの他の各種処理と並行して実行される。
【００５１】
図５に示すフローチャートは画像形成装置Ｕの電源オン時に開始される。なお、電源オン時のパワーオンリセットにより、レジスタ３２はクリアーされ、Low出力となり、FETスイッチ２７はONとなる。
図５のＳＴ１において、電源オン時判別フラグＦＬ１が「０」であるか否かを判別する。イエス（Ｙ）の場合（すなわち、電源オン直後の場合）はＳＴ２に移り、ノー（Ｎ）の場合はＳＴ３に移る。
ＳＴ２において、次の処理（１）、（２）を実行する。
（１）画像形成装置Ｕに装着されているデバイス（オプション基板２２等）を検出し、記憶する。なお、オプション基板２２の装着が検出された場合は、オプション基板２２の種類の検出も行い、記憶する。具体的には、上述した通り、PCIコンフィグレーションレジスタをリードする（読取る）ことで検出することができる。
（２）電源オン時判別フラグＦＬ１を「１」にする。
【００５２】
ＳＴ３において、画像形成動作を実行可能な待機状態（スタンバイモード、通常時の状態）に移行する。すなわち、画像形成装置Ｕの各部材（スキャナ装置Ｕ２や印刷エンジン１３、コントロールパネルＵＩ等）への電源供給が行なわれ、いつでも動作可能な状態である。そして、ＳＴ４に移る。
ＳＴ４において、省エネモード移行時間計時タイマＴＭ１に省エネモード移行時間ｔ１をセットする。そして、ＳＴ５に移る。
ＳＴ５において、省エネモード移行時間計時タイマＴＭ１がタイムアップしたか否かを判別する。ノー（Ｎ）の場合はＳＴ６に移り、イエス（Ｙ）の場合（省エネモード移行時間ｔ１が経過した場合）はＳＴ１０に移る。
【００５３】
ＳＴ６において、ジョブ（プリント動作や読取り画像データの送信等）が開始されたか否かを判別する。イエス（Ｙ）の場合はＳＴ７に移り、ノー（Ｎ）の場合はＳＴ８に移る。
ＳＴ７において、ジョブが終了したか否かを判別する。ノー（Ｎ）の場合はＳＴ７を繰り返し、イエス（Ｙ）の場合はＳＴ４に戻る。
ＳＴ８において、コントロールパネルＵＩからの入力（インターフェースポートの有効・無効の設定のための入力等）がされたか否かを判別する。ノー（Ｎ）の場合はＳＴ５に戻り、イエス（Ｙ）の場合はＳＴ９に移る。
ＳＴ９において、コントロールパネルＵＩからの入力に応じた処理を実行する。そして、ＳＴ４に戻る。
【００５４】
ＳＴ１０において、オプションスロット２１にオプション基板２２が装着されているか否かを判別する。イエス（Ｙ）の場合はＳＴ１１に移り、ノー（Ｎ）の場合はＳＴ１４に移る。
ＳＴ１１において、装着されているオプション基板２２の基板の種類はインターフェース基板であるか否かを判別する。イエス（Ｙ）の場合はＳＴ１２に移り、ノー（Ｎ）の場合はＳＴ１４に移る。
【００５５】
ＳＴ１２において、インターフェース基板のインターフェースポートは有効な状態に設定されているか否かを判別する。イエス（Ｙ）の場合はＳＴ１３に移り、ノー（Ｎ）の場合はＳＴ１４に移る。
ＳＴ１３において、低省エネモードに移行する。すなわち、下記の（１）〜（３）の処理を実行し、ＳＴ１５に移る。
（１）印刷エンジン１３、スキャナ装置Ｕ２、コントロールパネルＵＩの表示器ＵＩ２への電源供給を停止する。
（２）VideoIF回路１４の内部へのクロック供給を停止する。なお、VideoIF回路から印刷エンジンやスキャナへの出力信号は全てHi-Z(ハイ・インピーダンス)とする。
（３）ＣＰＵ６をパワーセーブモードに移行する。
【００５６】
ＳＴ１４において、高省エネモードに移行する。すなわち、下記の（１）〜（４）の処理を実行し、ＳＴ１５に移る。
（１）印刷エンジン１３、スキャナ装置Ｕ２、コントロールパネルＵＩの表示器ＵＩ２への電源供給を停止する。
（２）バススイッチ回路２６をオフにし領域１と領域２のPCIバス接続を電気的に分離(アイソレーション)する。
（３）ＦＥＴスイッチ２７をオフにし、領域２への電源供給を停止する。
（４）ＣＰＵ６をパワーセーブモードに移行する。
ＳＴ１５において、省エネモードからスタンバイモード（通常状態）に復帰させるための割り込み信号を受信したか否かを判別する。すなわち、パソコンＰＣ１〜ＰＣ４やデータベースサーバＤＢＳ等の情報端末から送信された画像データを受信したり、省エネ解除キーＵＩ４の入力がされたりしたかを判別する。ノー（Ｎ）の場合はＳＴ１５を繰り返し、イエス（Ｙ）の場合はＳＴ１に戻る。
【００５７】
（実施例１の作用）
図６は、実施例１の画像形成装置において、オプション基板の有無や種類、機能が有効・無効と、省エネモード時に電源がオン・オフされる領域との関係を示す説明図である。
前記構成を備えた実施例１の画像形成装置Ｕでは、コントロールパネルＵＩの入力がなかったりジョブが実行されない状態で、省エネモード移行時間ｔ１が経過すると省エネモードに移行する（ＳＴ４〜ＳＴ９参照）。
このとき、オプションスロット２１にオプション基板２２としてインターフェース基板が装着され、且つ、インターフェースポートが有効な状態に設定されている場合には、インターフェース基板に接続された情報端末ＰＣ４から画像データや制御信号を受信する可能性があるので、オプション基板２２への電源供給を継続しつつ消費電力を低減する低省エネモードに移行する（図５のＳＴ１０〜ＳＴ１３および図６の構成例１−２参照）。
【００５８】
一方、オプションスロット２１にオプション基板２２が装着されていない場合（図６の構成例１−１の場合）、装着されたオプション基板２２が画像処理用の基板の場合（図６の構成例１−４の場合）、インターフェースポートが無効な状態に設定されている場合（図６の構成例１−３の場合）には、オプションスロット２１を通じて画像データや制御信号を受信する可能性が無いので、ＦＥＴスイッチ２７をオフにし、スキャナ装置ＵＩ２等だけでなく、領域２への電源供給も停止してVideoIF回路１４等への電源供給を停止する高省エネモードに移行する（図５のＳＴ１０〜ＳＴ１２、ＳＴ１４および図６の構成例１−１、１−３、１−４参照）。このとき、実施例１の画像形成装置Ｕでは、領域１と領域２との間にバススイッチ回路２６が設けられているので、バススイッチ回路２６により安全に電気的に切り離す（アイソレーションする）ことができ、領域２の電源をオフすることができる。
【００５９】
したがって、実施例１の画像形成装置Ｕでは、オプションスロット２１に装着されたオプション基板２２の種類や有効・無効の状態に応じて、適切な省エネモードへ移行でき、効率的に消費電力を低減することができる。また、実施例１の画像形成装置Ｕでは、バススイッチ回路２６により、安全に領域２を領域１から電気的に切り離し、電源をオフすることができ、各回路１４，１９等の破損等を防止することができる。
【実施例２】
【００６０】
図７は実施例２の画像形成装置の制御部分が有する各機能の機能ブロック図であり、実施例１の図４に対応する図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００６１】
図７において、実施例２の画像形成装置では、省エネモード判別手段Ｃ２Ａ２は、オプションスロット２１に装着されたオプション基板２２がＵＳＢターゲットインターフェース基板である場合に、ＵＳＢ接続された機器を検出する接続機器検出手段Ｃ２Ａ２ａを有する。前記接続機器検出手段Ｃ２Ａ２ａは、ＵＳＢ規格に基づいて、ＵＳＢ接続された機器の電源がオンになっている場合には、接続された機器が存在していることを自動的に検出する。一方、ＵＳＢ接続された機器が１つも無い場合や、ＵＳＢ接続された全ての機器の電源がオンになっていない場合には、前記接続機器判別手段Ｃ２Ａ２ａは接続された機器が存在しないことを検出する。
【００６２】
（実施例２のフローチャートの説明）
図８は実施例２の画像形成装置の省エネ制御処理のフローチャートであり、実施例１の図５に対応する図である。
次に、実施例２の画像形成装置のフローチャートの説明を行うが、実施例１のフローチャートと同様の処理については同一のＳＴ番号を付し、詳細な説明を省略する。
【００６３】
図８において、ＳＴ１〜ＳＴ１１と同様の処理を行い、ＳＴ１１においてイエス（Ｙ）の場合はＳＴ２１に移る。
ＳＴ２１において、装着されたオプション基板２１がＵＳＢインターフェース基板であるか否かを判別する。イエス（Ｙ）の場合はＳＴ２２に移り、ノー（Ｎ）の場合はＳＴ１２に移る。
ＳＴ２２において、ＵＳＢインターフェース基板のポートが有効に設定されているか否かを判別する。イエス（Ｙ）の場合はＳＴ２３に移り、ノー（Ｎ）の場合はＳＴ１４に移る。
ＳＴ２３において、USBバスパワーのレベルによって、ＵＳＢ接続されたデバイス（機器、情報端末ＰＣ４）があるか否か（検出されたか否か）を判別する。イエス（Ｙ）の場合はＳＴ１３に移り、ノー（Ｎ）の場合はＳＴ１４に移る。
そして、ＳＴ１３〜ＳＴ１５の処理を実行する。
【００６４】
（実施例２の作用）
前記構成を備えた実施例２の画像形成装置では、オプションスロット２１に装着されたオプション基板２２がＵＳＢインターフェース基板である場合には、ＵＳＢ規格に基づいてＵＳＢ接続された機器の検出を行うことができるので、ＵＳＢ接続された機器がなければ、ＵＳＢインターフェース基板を介して画像データを受信しないので、オプション基板２２への電源供給を停止する。また、ＵＳＢ機器が追加された場合には、ＵＳＢインターフェース基板を介して画像データを受信可能な省エネモードに移行する。したがって、実施例２の画像形成装置では、オプション基板２２がインターフェース基板であっても、画像データを受信する可能性が無いと判別される場合には、電源供給が停止される。この結果、実施例２の画像形成装置では、実施例１の場合と比較して、より消費電力を抑えることができる。
【実施例３】
【００６５】
次に、本発明の画像形成装置の実施例３の説明を行うが、この実施例３の説明において、前記実施例１、２の構成要素に対応する構成要素には同一の符号を付して、その詳細な説明を省略する。
この実施例３は、下記の点で前記実施例１、２と相違しているが、他の点では前記実施例１、２と同様に構成されている。
【００６６】
（コントローラ（制御部）の説明）
図９は実施例３の画像形成装置のコントローラの説明図であり、実施例１の図３に対応する図である。
図９において、実施例３の画像形成装置Ｕのシステムコントローラ２では、PCIBridge回路１６の部分でVideoIF回路１４側とＵＩ回路１９側との間を電気的に切り離し（アイソレーション）することができるように構成されている。したがって、実施例３のシステムコントローラ２では、電源回路９から電源（Vcc1）が供給される領域１と、電源回路９から第１ＦＥＴスイッチ２７ａを介して電源（Vcc2）が供給される領域２と、第２ＦＥＴスイッチ２７ｂを介して電源（Vcc3）が供給される領域３とに分類することができる。
【００６７】
図１０は実施例３のレジスタ部分の説明図である。
図１０において、実施例３のレジスタ３２′は、従来公知のレジスタにより構成されており、アドレスを指定するアドレス信号（例えば、ｂｉｔ「０」やｂｉｔ「１」）およびチップセレクト（チップ選択）信号と、データ（「０」または「１」）と、書き込みを指定するライトイネーブル信号とを受信すると、指定されたアドレスにデータを書き込む。実施例３のレジスタ３２′は、ｂｉｔ「０」にデータ「１」が書き込まれると第１ＦＥＴスイッチ２７ａへのゲート（Ｇ）への出力がロー（LOW）からハイ（HIGH）になる。よって、第１ＦＥＴスイッチ２７ａがオフになり、領域２への電源供給が停止される。同様に、ｂｉｔ「１」にデータ「１」が書き込まれると、第２ＦＥＴスイッチ２７ｂへのゲート（Ｇ）への出力がロー（LOW）からハイ（HIGH）になり第２ＦＥＴスイッチ２７ｂがオフになって、領域３への電源供給が停止される。
なお、レジスタ３２′の各データの初期値は「０」であり、画像形成装置Ｕの電源オン時や省エネモードからの復帰時に、パワーオンリセット信号（クリアー（ＣＬＲ）信号）を受信すると、各データが「０」に初期化（リセット）され、各ＦＥＴスイッチ２７ａ、２７ｂがオンになって、領域２，３に電源供給が行われる。
【００６８】
（コントローラ（制御部）の機能の説明）
図１１は実施例３の画像形成装置の制御部分が有する各機能の機能ブロック図であり、実施例１の図４に対応する図である。
図１１において、実施例３のコントローラ２では、電源制御手段Ｃ２は、省エネモード制御手段Ｃ２Ａに加え、ローパワーモード制御手段Ｃ２Ｂを有する。
Ｃ２Ｂ：ローパワーモード制御手段
ローパワーモード制御手段Ｃ２Ｂは、ローパワーモード移行時間記憶手段Ｃ２Ｂ１と、ローパワーモード移行時間計時タイマＴＭ２と、ローパワーモード判別手段Ｃ２Ｂ２とを有する。そして、ローパワーモード制御手段Ｃ２Ｂは、スタンバイモード（通常時）よりも消費電力を低減し且つ画像データの受信やコピースタートキーＵＩ２の入力がされた場合に速やかに画像形成可能な状態に復帰できるローパワーモードに移行するタイミングやオプションスロット２１に装着されたオプション基板２２の種類や設定等に応じて移行するローパワーモードの選択等を行う。なお、実施例３の画像形成装置では、ローパワーモードにおいて、動作が可能となるまでの時間が短いスキャナ装置ＵＩ２やコントロールパネルＵＩの表示器ＵＩ１等への電源供給を停止するが、動作までの時間がかかる印刷エンジン１３（特に、ヒータによる加熱に時間のかかる定着装置Ｆ）への電源供給が継続され、定着装置Ｆの温度制御等が継続される。
【００６９】
Ｃ２Ｂ１：ローパワーモード移行時間記憶手段
ローパワーモード移行時間記憶手段Ｃ２Ｂ１は、画像形成装置の動作（プリント動作やスキャン動作、コピー動作等のジョブ）の終了やユーザの入力がされた後、前記ローパワーモード（ローパワー状態、低消費電力状態）に移行するまでの時間であるローパワーモード移行時間ｔ２を記憶する。実施例３のローパワーモード移行時間記憶手段Ｃ２Ｂ１は、コントロールパネルＵＩからの入力により、ユーザが設定したローパワーモード移行時間ｔ２を記憶する。なお、ローパワーモード移行時間ｔ２をユーザ設定不可能とすることも可能である。なお、実施例３では、ローパワーモード移行時間ｔ２は省エネモード移行時間ｔ１以下の時間に設定可能である。
【００７０】
ＴＭ２：ローパワーモード移行時間計時タイマ
ローパワーモード移行時間計時タイマＴＭ２は、前記ローパワーモード移行時間ｔ２を計時する。実施例３のローパワーモード移行時間計時タイマＴＭ２は、ジョブ終了時等にローパワーモード移行時間ｔ２がセットされ、ローパワーモード移行時間ｔ２が経過するとタイムアップする。
Ｃ２Ｂ２：ローパワーモード判別手段
ローパワーモード判別手段Ｃ２Ｂ２は、画像形成装置Ｕの状態に応じて、移行するローパワーモードの判別を行う。実施例３のローパワーモード判別手段Ｃ２Ｂ２は、オプションスロット２１へのオプション基板２２の装着の有無、装着されたオプション基板２２の種類（インターフェース基板であるか、画像処理基板であるか）、オプション基板２２が有効であるかに応じて、印刷エンジン１３への電源供給は継続し且つコントロールパネルＵＩやスキャナ装置Ｕ２および領域３への電源供給を停止する高ローパワーモードに移行するか、領域３への電源供給は継続しコントロールパネルＵＩやスキャナ装置Ｕ２への電源供給を停止する低ローパワーモードに移行するかを判断する。
【００７１】
また、実施例３のシステムコントローラ２では、ＦＥＴスイッチ制御手段Ｃ３は、第１ＦＥＴスイッチ２７ａのオンオフを制御する第１ＦＥＴスイッチ制御手段Ｃ３Ａと、第２ＦＥＴスイッチ２７ｂのオンオフを制御する第２ＦＥＴスイッチ制御手段Ｃ３Ｂとを有する。
【００７２】
（実施例３のフローチャートの説明）
図１２は実施例３の画像形成装置の省エネ制御処理のフローチャートであり、実施例１の図５に対応する図である。
次に、実施例３の画像形成装置のフローチャートの説明を行うが、実施例１のフローチャートと同様の処理については同一のＳＴ番号を付し、詳細な説明を省略する。
【００７３】
図１２において、ＳＴ１〜ＳＴ３を実行して、ＳＴ４′に移る。
ＳＴ４′において、次の処理（１）、（２）を実行し、ＳＴ３１に移る。
（１）ローパワーモード移行時間計時タイマＴＭ２にローパワーモード移行時間ｔ２をセットする。
（２）省エネモード移行時間計時タイマＴＭ１に省エネモード移行時間ｔ１をセットする。ただし、t1≧t2である。
ＳＴ３１において、ローパワーモード移行時間計時タイマＴＭ２がタイムアップしたか否かを判別する。ノー（Ｎ）の場合はＳＴ３２に移り、イエス（Ｙ）の場合はＳＴ３６に移る。
【００７４】
ＳＴ３２において、ジョブ（プリント動作や読み取り動作等）が開始されたか否かを判別する。イエス（Ｙ）の場合はＳＴ３３に移り、ノー（Ｎ）の場合はＳＴ３４に移る。
ＳＴ３３において、ジョブが終了したか否かを判別する。ノー（Ｎ）の場合はＳＴ３３を繰り返し、イエス（Ｙ）の場合はＳＴ４′に戻る。
ＳＴ３４において、コントロールパネルＵＩからの入力（インターフェースポートの有効・無効の設定のための入力等）がされたか否かを判別する。ノー（Ｎ）の場合はＳＴ３１に戻り、イエス（Ｙ）の場合はＳＴ３５に移る。
ＳＴ３５において、コントロールパネルＵＩからの入力に応じた処理を実行する。そして、ＳＴ４′に戻る。
【００７５】
ＳＴ３６において、オプションスロット２１にオプション基板２２が装着されているか否かを判別する。イエス（Ｙ）の場合はＳＴ３７に移り、ノー（Ｎ）の場合はＳＴ４０に移る。
ＳＴ３７において、装着されているオプション基板２２の基板の種類はインターフェース基板であるか否かを判別する。イエス（Ｙ）の場合はＳＴ３８に移り、ノー（Ｎ）の場合はＳＴ４０に移る。
ＳＴ３８において、インターフェース基板のインターフェースポートは有効な状態に設定されているか否かを判別する。イエス（Ｙ）の場合はＳＴ３９に移り、ノー（Ｎ）の場合はＳＴ４０に移る。
【００７６】
ＳＴ３９において、低ローパワーモードに移行する。すなわち、領域３への電源供給は継続し、スキャナ装置Ｕ２、コントロールパネルＵＩの表示器ＵＩ２への電源供給を停止する。そして、ＳＴ５に移る。
ＳＴ４０において、高ローパワーモードに移行する。すなわち、下記の（１）〜（２）の処理を実行し、ＳＴ５に移る。
（１）スキャナ装置Ｕ２、コントロールパネルＵＩの表示器ＵＩ２への電源供給を停止する。
（２）第２ＦＥＴスイッチ２７ｂをオフにし、領域３への電源供給を停止する。
【００７７】
次に、ＳＴ５〜ＳＴ１２の処理が行われるが、ＳＴ６とＳＴ７の間、および、ＳＴ８とＳＴ９の間に、第１ＦＥＴスイッチ２７ａおよび第２ＦＥＴスイッチ２７ｂをオンにしてスタンバイモードに復帰するＳＴ４１およびＳＴ４２の処理が実行される。
また、実施例１のＳＴ１３，ＳＴ１４に代えて、次の処理ＳＴ１３′、ＳＴ１４′が実行される。
ＳＴ１３′において、実施例３の低省エネモードでは、次の処理（１）〜（３）が実行される。
（１）ローパワーモードで電源オフされているスキャナ装置Ｕ２、コントロールパネルＵＩの表示器ＵＩ２に加え、印刷エンジン１３への電源供給を停止する。
（２）VideoIF回路１４の内部へのクロック供給を停止する。
（３）ＣＰＵ６をパワーセーブモードに移行する。
【００７８】
ＳＴ１４′において、実施例３の高省エネモードでは、下記の（１）〜（４）の処理を実行し、ＳＴ１５に移る。
（１）ローパワーモードで電源オフされているスキャナ装置Ｕ２、コントロールパネルＵＩの表示器ＵＩ２に加え、印刷エンジン１３への電源供給を停止する。
（２）バススイッチ回路２６をオフにし領域１と領域２のPCIバス接続を電気的に分離(アイソレーション)する
（３）第１ＦＥＴスイッチ２７ａをオフにし、領域２への電源供給を停止する。
（４）ＣＰＵ６をパワーセーブモードに移行する。
【００７９】
（実施例３の作用）
図１３は、実施例３の画像形成装置において、オプション基板の有無や種類、機能が有効・無効と、省エネモード時に電源がオン・オフされる領域との関係を示す説明図である。
前記構成を備えた実施例３の画像形成装置Ｕでは、コントロールパネルＵＩの入力がなかったりジョブが実行されない状態で、ローパワーモード移行時間ｔ２が経過するとローパワーモードに移行し（ＳＴ３１〜ＳＴ３５参照）、省エネモード移行時間ｔ１が経過すると省エネモードに移行する（ＳＴ５〜ＳＴ９参照）。
【００８０】
実施例３の画像形成装置Ｕでは、ローパワーモード移行時、オプションスロット２１にオプション基板２２としてインターフェース基板が装着され、且つ、インターフェースポートが有効な状態に設定されている場合には、インターフェース基板に接続された情報端末ＰＣ４から画像データや制御信号を受信する可能性があるので、オプション基板２２への電源供給を継続しつつ消費電力を低減する低ローパワーモードに移行する（図５のＳＴ３６〜ＳＴ３９および図１３の構成例２−２参照）。
【００８１】
一方、オプションスロット２１にオプション基板２２が装着されていない場合（図１３の構成例２−１参照）、装着されたオプション基板２２が画像処理用の基板の場合（図１３の構成例２−４参照）、インターフェースポートが無効な状態に設定されている場合（図１３の構成例２−３参照）には、オプションスロット２１を通じて画像データや制御信号を受信する可能性がない。しかし、HostIF回路１１を介して画像データを受信した場合等に速やかに画像形成を行うために、第２ＦＥＴスイッチ２７ｂをオフにして領域３への電源供給も停止すると共に第１ＦＥＴスイッチ２７ａはオンの状態で保持して領域２への電源供給を継続し、印刷エンジン１３を速やかに画像形成可能な状態に保持する高ローパワーモードに移行する（図１２のＳＴ３６〜ＳＴ３８、ＳＴ４０および図１３の構成例２−１、２−３、２−４参照）。
【００８２】
そして、省エネモード移行時は、実施例１の場合と同様に、オプション基板２２の種類等に応じた省エネモードに移行する。
この結果、実施例３の画像形成装置Ｕでは、省エネモードだけでなく、ローパワーモードを利用して消費電力を低減できると共に、オプション基板２２の種類や有効の状態に応じて適切な消費電力の低減ができる。
【産業上の利用可能性】
【００８３】
(変更例)
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ06）を下記に例示する。
（Ｈ01）前記各実施例において、情報端末（パソコンＰＣ１〜ＰＣ３及びデータベースサーバＤＢＳ）はローカルエリアネットワーク（ＬＡＮ）により接続されているが、接続方法はこれに限定されず、パラレル接続（ＩＥＥＥ１２８４等）や、シリアル接続（ＵＳＢ、ＩＥＥＥ１３９４、ＩｒＤＡ、ＲＳ−２３２Ｃ等）、その他（Ｂｌｕｅｔｏｏｔｈや一般公衆回線（インターネット回線やＦＡＸ回線）等）の接続方法により接続することも可能である。また、オプション基板のインターフェース回路（追加画像データ受信回路）を有するインターフェース基板として、ＵＳＢや無線ＬＡＮの基板に限定されず、有線ＬＡＮやパラレル接続、シリアル接続等やその他のインターフェース回路を有するオプション基板を使用可能である。
【００８４】
（Ｈ02）前記各実施例において、オプション基板の種類は、インターフェース基板と画像処理基板の２種類に限定されず、その他の機能（例えば、個人認証等のセキュリティ機能や課金管理機能等）を追加する基板とすることも可能である。
（Ｈ03）前記各実施例において、ＦＥＴスイッチ２７、２７ａ、２７ｂを使用したが、従来公知の任意のスイッチを使用可能である。また、ＦＥＴスイッチを制御するレジスタ３２はHostIF回路１１にローカルバス３１により接続されたが、接続方法はこれに限定されず、任意のバス（例えば、メモリバス５）に接続することも可能である。あるいは、HostIF回路内部に設けることもできる。
【００８５】
（Ｈ04）前記各実施例において、省エネモード移行時間ｔ１が経過した場合に省エネモードに移行する実施例を例示したが、これに限定されず、コントロールパネルＵＩに省電力モード移行キーを設けておき、ユーザの入力に応じて省エネモードに移行するように構成することも可能である。
（Ｈ05）前記各実施例において、本発明の画像形成装置としての複合機について説明をしたが、これに限定されず、例えば、プリンタ機能を有しないＦＡＸや、スキャナ機能を有しないプリンタ等の画像形成装置にも適用可能である。
（Ｈ06）前記各実施例において、オプションスロットに実装されるオプション基板の装着有無やその種類に応じて、適切な省電力制御を行うことを説明したが、オプション基板ではなく、HostIF回路で対応できない新しいインタフェース回路を標準実装する場合にも適用可能である。例えば、HostIF回路がUSBインタフェース機能を持たないときに、USBインタフェースデバイスを標準実装する場合、USBインタフェースポートの有効・無効設定あるいはホストPCとの接続状態に応じて、上述した同様の省電力制御を行うことが可能である。
【図面の簡単な説明】
【００８６】
【図１】図１は本発明のプリントシステムの説明図である。
【図２】図２は本発明の画像形成装置（デジタル複写機）の縦断面図である。
【図３】図３は実施例１の画像形成装置のコントローラの説明図である。
【図４】図４は実施例１の画像形成装置の制御部分が有する各機能の機能ブロック図である。
【図５】図５は実施例１の画像形成装置の省エネ制御処理のフローチャートである。
【図６】図６は、実施例１の画像形成装置において、オプション基板の有無や種類、機能が有効・無効と、省エネモード時に電源がオン・オフされる領域との関係を示す説明図である。
【図７】図７は実施例２の画像形成装置の制御部分が有する各機能の機能ブロック図であり、実施例１の図４に対応する図である。
【図８】図８は実施例２の画像形成装置の省エネ制御処理のフローチャートであり、実施例１の図５に対応する図である。
【図９】図９は実施例３の画像形成装置のコントローラの説明図であり、実施例１の図３に対応する図である。
【図１０】図１０は実施例３のレジスタ部分の説明図である。
【図１１】図１１は実施例３の画像形成装置の制御部分が有する各機能の機能ブロック図であり、実施例１の図４に対応する図である。
【図１２】図１２は実施例３の画像形成装置の省エネ制御処理のフローチャートであり、実施例１の図５に対応する図である。
【図１３】図１３は、実施例３の画像形成装置において、オプション基板の有無や種類、機能が有効・無効と、省エネモード時に電源がオン・オフされる領域との関係を示す説明図である。
【図１４】図１４は、従来の画像形成装置のコントローラの構成の説明図である。
【符号の説明】
【００８７】
１１…画像データ受信回路、
１４…画像記録部材送受信回路、
２１…オプションスロット、
２２…オプション基板
２６…バススイッチ、
２７、２７ａ、２７ｂ…ＦＥＴスイッチ。
Ｃ６Ａ…オプション基板判別手段、
Ｃ２…電源制御手段、
Ｃ６Ｂ…受信設定記憶手段、
Ｅ…電源回路、
Ｕ…画像形成装置。
【図１】
2006237734.tif 000003
【図２】
2006237734.tif 000004
【図３】
2006237734.tif 000005
【図４】
2006237734.tif 000006
【図５】
2006237734.tif 000007
【図６】
2006237734.tif 000008
【図７】
2006237734.tif 000009
【図８】
2006237734.tif 000010
【図９】
2006237734.tif 000011
【図１０】
2006237734.tif 000012
【図１１】
2006237734.tif 000013
【図１２】
2006237734.tif 000014
【図１３】
2006237734.tif 000015
【図１４】
2006237734.tif 000016